(57)【要約】      （修正有）【課題】１つのスケジュール帳で複数種類の予定を効率的に管理することができるスケジュール帳を提供する。【解決手段】１か月分を日ごとに区分した記入欄２８を設けたカレンダー片２１と、前記カレンダー片とその直後及び／又は直前の頁との間に設けられた半透明のシート片２２とを備え、前記シート片を前記カレンダー片と重ねるように見開きしたとき、前記カレンダー片の記入欄を構成する線分２６，２７及び日付が前記シート片を透かして前記シート片の表面上に表われる。【選択図】図２
0003183387.tif 000002
【実用新案登録請求の範囲】
【請求項１】
日ごとに区分された記入欄を有する平面視矩形のカレンダー片（２１）と、該カレンダー片に対応する半透明かつ平面視矩形のシート片（２２）のセットを複数重ねて表紙と表紙の間に配し、複数の前記セットの１辺側を背部として束ねたことを特徴とするスケジュール帳。
【請求項２】
前記セットが１枚の前記カレンダー片と２枚の前記シート片を含み、前記カレンダー片の両面に各１枚の前記シート片を重ねてなることを特徴とする請求項１記載のスケジュール帳。
【請求項３】
日ごとに区分された記入欄を有する平面視矩形のカレンダー片と、該カレンダー片の直後及び／又は直前の頁に設けられた半透明のシート片を備え、該シート片を前記カレンダー片に重ねるように見開きしたとき、前記カレンダー片の記入欄を構成する線分や日付が前記シート片を透かして前記シート片上に表われることを特徴とするスケジュール帳。
【請求項４】
当該スケジュール帳を見開きしたとき、見開き左側の前記カレンダー片は左カレンダー面（２１Ａ）を、見開き右側の前記カレンダー片は右カレンダー面（２１Ｂ）を備え、
前記左カレンダー面と前記右カレンダー面の間に、前記左カレンダー面に対応する前記シート片（以下、「左シート片」ということがある。）と前記右カレンダー面に対応する前記シート片（以下、「右シート片」ということがある。）を備え、
前記左シート片及び右シート片を前記左カレンダー面及び右カレンダー面にそれぞれ重ねて開くと、前記各カレンダー面の記入欄を構成する線と日付が前記各シート片を透かして前記各シート片上に表われることを特徴とする請求項１ないし３のいずれか１項記載のスケジュール帳。
【請求項５】
前記シート片が実質的に無地であることを特徴とする請求項１ないし４のいずれか１項記載のスケジュール帳。
【考案の詳細な説明】
【技術分野】
【０００１】
本考案は、予定などを記入するための記入欄を備えたスケジュール帳に係り、特に、１つのスケジュール帳で複数種類の予定を効率良く管理することができるスケジュール帳に関する。
【背景技術】
【０００２】
一般に、スケジュール帳は月又は週単位で予定を記入するための記入欄が１頁又は見開きの左右２頁に記載されている。このような従来のスケジュール帳においては、予定記入欄が１つであるため、その中に複数の種類の予定を記入し、スケジュール管理するのが一般的である。そのため、例えば、仕事とプライベートといった異なる種類のスケジュール管理を行う場合、一目ではその区別がつけづらかった。そして、この解決のためには、対象種類毎にスケジュール帳をつくる必要があった。
【０００３】
上記のような従来のスケジュール帳に対して、１つのスケジュール帳に異なった２つの予定を記入できるようにした手帳が提案されている（例えば、特許文献１参照）。
【０００４】
特許文献１に記載されている手帳は、一方の表紙側に第１の予定記入欄を設けるとともに、他方の表紙側に第２の予定記入欄を設けているので、第１及び第２の予定記入欄にそれぞれ異なった対象種類の予定を記入することによって、１つの手帳で２種類のスケジュール管理を行うことができる。
【先行技術文献】
【特許文献】
【０００５】
【特許文献１】実用新案登録第３１６７７０２号公報
【考案の概要】
【考案が解決しようとする課題】
【０００６】
しかしながら、上記した特許文献１の手帳において、第１の予定記入欄に記入した予定（例えば、仕事関連）と、第２の予定記入欄に記入した予定（例えば、家庭関連）を比較して確認する場合、第１予定記入欄と第２の予定記入欄がそれぞれ別々の紙片の離れた頁に設けられているため、いちいち対応する頁を探して比べる必要がある。その操作は面倒であり、また、対応する日付を間違たりするなどのミスが生じ、その結果、ダブルブッキングなどの重大な問題が起こるおそれもあった。
【０００７】
本考案は、上述した課題を解決するものであり、その目的は、１つのスケジュール帳で、複数種類の予定を効率的に管理することができるスケジュール帳を提供する。
【課題を解決するための手段】
【０００８】
上記目的を達成するため、本考案に係るスケジュール帳は、日ごとに区分された記入欄を有する平面視矩形のカレンダー片（２１）と、該カレンダー片に対応する半透明かつ平面視矩形のシート片（２２）のセットを複数重ねて表紙と表紙の間に配し、複数のセットの１辺側を背部として束ねたことを特徴とする。
【０００９】
上記態様において、前記セットが１枚の前記カレンダー片と２枚の前記シート片を含み、前記カレンダー片の両面に各１枚の前記シート片を重ねてなることが好ましい。このことによって、カレンダー片の各面に印刷された内容を該各面に重ねたシート片を透かしてシート片上に目視することができる。
【００１０】
また、本考案に係るスケジュール帳は、日ごとに区分された記入欄を有する平面視矩形のカレンダー片と、該カレンダー片の直後及び／又は直前の頁に設けられた半透明のシート片を備え、該シート片を前記カレンダー片に重ねるように見開きしたとき、前記カレンダー片の記入欄を構成する線分や日付が前記シート片を透かして前記シート片上に表われることを特徴とする。
本考案に係るスケジュール帳では、シート片に記入された第１の予定とは異なる種類の第２の予定をシート片に記入することができるので、１つのスケジュール帳で複数種類の予定が効率的に管理できる。
【００１１】
上記態様において、当該スケジュール帳を見開きしたとき、見開き左側の前記カレンダー片は左カレンダー面（２１Ａ）を、見開き右側の前記カレンダー片は右カレンダー面（２１Ｂ）を備え、前記左カレンダー面と前記右カレンダー面の間に、前記左カレンダー面に対応する前記シート片（以下、「左シート片」ということがある。）と前記右カレンダー面に対応する前記シート片（以下、「右シート片」ということがある。）を備え、前記左シート片及び右シート片を前記左カレンダー面及び右カレンダー面にそれぞれ重ねて開くと、前記各カレンダー面の記入欄を構成する線と日付が前記各シート片を透かして前記各シート片上に表われるのが好ましい。
このことによって、左及び右シート片を左及び右カレンダー面に重ねて見開きした状態において、左及び右シート片上に左及び右カレンダー面の記入欄を構成する線分や日付が透けて映し出されるので、透けて表われた記入欄を区分する線分や日付を目印にして、左及び右シート片の表面の適切な位置に第２予定を書き込むことができる。
【００１２】
さらに、上記態様において、シート片が実質的に無地であるのが好ましい。シート片が無地であれば、カレンダー片に重ねたとき、カレンダー片に印刷された記入欄及びそこに記入された第１の予定を半透明なシート片を通して何の遮りもなく見ることができる。また、カレンダー片に記入する第１の予定とは異なる種類の第２の予定をシート片上に何の遮りもなく記入することができる。ここで、「実質的に」とは、少なくともカレンダー片の記入欄に重なる部分が無地であることをいい、前記記入欄に重ならないシート片の周辺部に記載される文字や図案は含まないことを意味する。
【考案の効果】
【００１３】
本考案のスケジュール帳によれば、１つのスケジュール帳で複数種類の予定を効率良く管理することができる。
【図面の簡単な説明】
【００１４】
【図１】本考案の一実施形態に係るスケジュール帳の外観斜視図である。
【図２】本考案の一実施形態に係るスケジュール帳の見開き状態におけるカレンダー片を示す説明図である。
【図３】本考案の一実施形態に係るスケジュール帳のシート片を示す説明図である。
【図４】本考案の一実施形態に係るスケジュール帳の週間カレンダーセクションを示す説明図である。
【図５】カレンダー片に第１の予定を記入する方法を説明する図である。
【図６】シート片に第２の予定を記入する方法を説明する図である。
【考案を実施するための形態】
【００１５】
以下、添付図面を参照しながら本考案の一実施形態について詳細に説明する。なお、本考案の実施形態における構成要素は適宜、既存の構成要素等との置き換えが可能であり、また、他の既存の構成要素との組合せを含む様々なバリエーションが可能である。したがって、本考案の実施形態の記載をもって、実用新案登録請求の範囲に記載された考案の内容を限定するものではない。
【００１６】
図１は、本考案の一実施形態に係るスケジュール帳１の外観を示す。図１に示すように、本実施形態に係るスケジュール帳１は、厚手の紙製の表紙２と、平面視矩形のカレンダー片と該カレンダー片の両面に１枚ずつ重ねられた半透明かつ平面視矩形のシート片のセット３及び頁の目印のための紐状の栞４から構成されている。表紙２は、重ねて束ねられた複数のカレンダー紙片とシート片のセット３の外側を覆って設けられ、該セットの１辺側を背部５として表表紙２Ａと裏表紙２Ｂの間に束ねて、製本されている。
【００１７】
また、スケジュール帳１は、表紙２を保護するために、表紙２を被包するように形成されたカバー体（図示せず）を有する。このカバー体は、例えば、紙クロスなどの紙素材や塩化ビニールなどの合成樹脂などで形成する。また、カバー体は、黒色や紺色だけでなく、アイボリー、イエロー、ブルーなど各種の着色をしてもよく、また、イラストなどの所要のデザインを施してもよい。
【００１８】
栞４は、本実施形態に係るスケジュール帳１では２本設けられ、異なる色、例えば、黄色と青色で染色されている。このように栞４の色を違えることにより、例えば、黄色は現在、青色は直近の予定など、使用者が各色に機能を紐付けすることができる。なお、栞４は、異なる色で３本以上設けてもよい。
【００１９】
スケジュール帳１の大きさは、２つ折り状態で縦１８８ｍｍ、横１２４ｍｍ、厚さ１４ｍｍのＢ６版に相当するサイズにしている。その他、スケジュール帳１が勝手に開かないように表紙２を抑えておくためのゴムバンドをスケジュール帳１と一体的に設けるようにしてもよい。
【００２０】
図２は、スケジュール帳１の見開き状態におけるカレンダー片を示す説明図である。
表表紙２Ａと裏表紙２Ｂ（図１参照）の間には、表表紙２Ａから裏表紙２Ｂにかけて順に、複数枚のカレンダー片２１及び各カレンダー片２１の各頁（カレンダー面２１Ａ，２１Ｂ）に対応する複数枚のシート片２２（２２Ａ，２２Ｂ）により構成される月間カレンダーセクション２３が備えられている。
【００２１】
月間カレンダーセクション２３は、１年間分とその前年最後の３か月分の計１５か月分のカレンダー面２１Ａ，２１Ｂと、各月ごとの他の種類の予定（第２の予定）を記入するシート片２２Ａ，２２Ｂで構成されている。カレンダー面２１Ａ，２１Ｂは、カレンダー片２１，２１を見開きしたときの両方の頁が対となって１か月間の予定を管理できるように設けられている。そして、所定の月のカレンダー片２１，２１を見開きした両方の頁の間に、各頁にそれぞれ対応するように２枚のシート片２２（図２中では、シート片２２を点線で示す）が設けられるように構成されている。
すなわち、月間カレンダーセクション２３は、１５か月分のカレンダー片２１の各カレンダー片２１を見開きした両方の頁の間には２枚のシート片２２（２２Ａ，２２Ｂ）が配されている。
【００２２】
見開きしたとき左側のカレンダー片２１は左カレンダー面２１Ａを、右側のカレンダー片２１は右カレンダー面２１Ｂを表わす。そして、左カレンダー面２１Ａには、１か月間のうちの月曜日から水曜日までの各曜日について日ごとにマス目状に縦線２６及び横線２７で区分して日ごとの予定などを記入可能な余白となっている記入欄２８を備える。また、右カレンダー面２１Ｂには、１か月間のうちの木曜日から日曜日までの各曜日について日ごとにマス目状に縦線２６及び横線２７で区分して日ごとの予定などを記入可能な余白となっている記入欄２８を備える。
【００２３】
また、左カレンダー面２１Ａの左上部位置には当該月間を示す年月が、左及び右カレンダー面２１Ａ，２１Ｂには当該１か月間に相当する日付と曜日が予め印刷されている。更に、各記入欄２８には３本の横点線で横罫線が設けられている。その他、暦注として、日付に対応する六曜（大安，赤口,先勝など）を記載してもよい。
【００２４】
図３は、スケジュール帳１のシート片を示す説明図である。
シート片２２は、特定の月（図３では、２０１３年１０月）を表わすカレンダー片２１の両方の頁（左カレンダー面２１Ａ，右カレンダー面２１Ｂ）に対応して、その間に２枚のシート片２２（左シート片２２Ａ，右シート片２２Ｂ）がそれぞれ設けられる。
【００２５】
左シート片２２Ａと右シート片２２Ｂは、両面が無地のトレーシングペーパーで構成され、左及び右シート片２２Ａ，２２Ｂを左及び右カレンダー面２１Ａ，２１Ｂ上にそれぞれ重ねたときに半透明状となり、左及び右シート片２２Ａ，２２Ｂの表面に、左及び右カレンダー面２１Ａ，２１Ｂの記入欄２８を区分する縦線２６，横線２７や日付等が透けて表われるように構成されている。
【００２６】
なお、本実施形態では、シート片２２をトレーシングペーパーで構成したが、これに限定されるものではなく、例えば、硫酸紙、パラフィン紙、グラシン紙などの半透明状の紙や、白色又は極度に着色が施されていないシートで、厚さが１００μｍ以下程度のものであれば、好適に用いることができる。
【００２７】
上記のような構成なので、カレンダー片２１にシート片２２を重ねると、カレンダー面２１Ａ，２１Ｂに印刷又は記入された内容がシート片２２表面上に表われるので、各月において、カレンダー片２１の所定の日付の記入欄２８に記入された予定（本明細書において、「第１の予定」ということがある。）とは異なる種類の予定（本明細書において、「第２の予定」ということがある。）を、当該所定の日付の記入欄２８の位置に対応付けてシート片２２に記載することができる。
ここで、予定の種類としては、例えば、使用者の仕事上の予定とプライベートの予定、あるいは、使用者自身の予定と使用者の家族メンバー（親や子どもなど）や友人（彼氏あるいは彼女）の予定などが挙げられる。
【００２８】
以上のように、シート片２２の両面は無地であるが、左及び右シート片２２Ａ，２２Ｂをそれぞれ左及び右カレンダー面２１Ａ，２１Ｂ上に重畳することで、左及び右シート片２２Ａ，２２Ｂの表面に左及び右カレンダー面２１Ａ，２１Ｂの記入欄２８を区分する縦線２６，横線２７や日付等が透けて表われる。
【００２９】
このような構成であるので、筆圧によってシート片２２がカレンダー片２１に密着した状態では記入欄２８を区分する縦線２６，横線２７や日付等が透けて映し出され、筆記時以外ではシート片２２が多少浮かび上がるので、シート片２２に記入した予定等を読む際にはカレンダー片２１の記載が邪魔にならないというメリットがある。また、シート片２２に予定等を記入する際には、透けて表われたカレンダー片２１の内容を目印にして、適切な位置に予定等を書き込むことができる。すなわち、カレンダー片２１に書き込む第１の予定とは異なる種類の第２の予定を、当該所定の日付の記入欄２８の位置に対応付けて、左及び右シート片２２Ａ，２２Ｂの表面に上書きするように書き込むことができる。
【００３０】
図４は、同スケジュール帳１の週間カレンダーセクションを説明する説明図である。
図４は、週間カレンダーを表示する週間カレンダーセクション２５のうち、２０１３年１０月中の２週間分（２０１３年１０月１４日から同月２７日）のカレンダー片２４，２４の見開きを示す。
【００３１】
カレンダー片２４，２４の各週間カレンダー面２４Ａ，２４Ｂは、図４に示すように、月曜日から日曜日までを横線３２で区分して日ごとに予定などを記入可能な余白となっている記入欄３３を備える。そして、週間カレンダー面２４Ａ，２４Ｂの各頁の左上部位置には当該週間に対応する年月が、左側位置には当該週間の１週間分の日付と曜日がそれぞれ予め印刷されている。更に、各記入欄３３には３本の横点線で横罫線が設けられている。
【００３２】
また、週間カレンダー面２４Ａ，２４Ｂは、記入欄３３が横方向に２つの領域に分割され、左側の約６割程度の領域を第１記入欄３７、右側の約４割程度の領域を第２記入欄３８とし、第２記入欄３８の背景色を淡赤色にして第１記入欄３７と区別している。このように週間カレンダー面２４Ａ，２４Ｂにおける記入欄３３を２つの領域に分割することにより、記入欄３３に記入する予定などの記載内容のうち、第１記入欄３７に記入する記載内容と第２記入欄３８に記入する記載内容とを区別して記入することができる。すなわち、第１記入欄３７には主となる予定などを書き込み、第２記入欄３８には主となる予定とは異なる別予定や備忘録や日記的なメモなどを書き込むことができる。
【００３３】
なお、第２記入欄３８は、背景色を淡赤色以外の淡黄色や淡水色などの他の色の背景色や網掛けやテクスチャなどで区別するようにしてもよく、いずれの方法においても背景色や網掛けやテクスチャなどは第２記入欄３８に書き込む文字等が目立たなくならないように淡い色や目立たない背景とするとよい。
【００３４】
週間カレンダーセクション２５は、月間カレンダーセクション２３（図３参照）と同様に、カレンダー片２４，２４を見開きした両方の頁（週間カレンダー面２４Ａ，２４Ｂ）の間に、各頁にそれぞれ対応するように２枚のシート片（図示せず）が設けられるように構成することができる。このことで、更に多くの種類の週間スケジュールを種類毎に分けて管理することができる。
【００３５】
本考案におけるスケジュール帳１が備えるセクションとしては、上記した月間カレンダーセクション２３及び週間カレンダーセクション２５の他に、罫線や方眼などが設けられた複数枚のメモ頁により構成されるメモセクション（図示せず）と、住所録などの個人情報を記入可能に構成した複数枚の個人情報頁により構成される個人情報頁セクション（図示せず）を備えていてもよい。
【００３６】
次に、本考案の実施形態に係るスケジュール帳１の使用形態について、以下に説明する。
スケジュール帳１の使用者は、カレンダー面２１Ａ，２１Ｂの所定の日付の記入欄２８に予定（第１の予定）を記入する際には、図５に示すように、例えば左カレンダー面２１Ａを開いてボールペンや鉛筆などの筆記具で書き込む。
【００３７】
また、スケジュール帳１の使用者は、第２の予定を記入する際には、図６に示すように、例えば左シート片２２Ａ（図６では、左シート片２２Ａ及び右シート片２２Ｂを点線で示す。）を左カレンダー面２１Ａ上に重ねて、左シート片２２Ａの表面に左カレンダー面２１Ａの記入欄２８を区分する縦線２６，横線２７や日付等が透けて表わされた状態で、記入欄２８を区分する縦線２６，横線２７や日付等を目印にして当該日付の位置に別予定（第２の予定）をボールペンや鉛筆などの筆記具で書き込む。
【００３８】
したがって、カレンダー片２１Ａの記入欄２８に書き込んだ第１の予定に上書きするようにして、透けて目視できる同じ日付の記入欄２８に相当するシート片２２Ａ表面上に第２の予定を書き込むことができる。このため、シート片２２Ａをカレンダー片２１Ａから浮かせることで第１及び第２の予定をそれぞれ別々に確認することができるとともに、シート片２２Ａをカレンダー片２１Ａ上に重ねることで、シート片２２Ａに書き込んだ第２の予定に加えて、カレンダー片２１Ａの記入欄２８に書き込まれた第２の予定も透かして見ることによって、２種類の予定を同時に確認することができる。
【００３９】
以上のように本実施形態に係るスケジュール帳１によれば、カレンダー片２１と各カレンダー片２１のカレンダー面２１Ａ，２１Ｂに対応するシート片２２Ａ，２２Ｂを備えているので、スケジュール帳１の使用者は、カレンダー面２１Ａ，２１Ｂの記入欄２８に第１の予定を書き込み、対応するシート片２２Ａ，２２Ｂに第２の予定を書き込むことができる。これにより、シート片２２をカレンダー片２１から浮かせてカレンダー片２１の記載を見ることで第１の予定だけを、シート片２２の記載を見ることで第２の予定だけを確認できる。つまり、第１及び第２の予定をそれぞれ別々に確認することができる。
さらに、シート片２２をカレンダー片２１上に重ねることで第１及び第２の予定を同時に確認することができる。従って、従来技術のように紙片の離れた頁に別々に記入された２種類の予定を比較しながら見ることで日付を間違えたりする不都合を防止でき、効率的にスケジュール管理することができる。
【００４０】
以上、本考案の一実施形態について説明したが、本考案は上述の実施形態に限定されず、その要旨を逸脱しない限りにおいて種々の変更が可能である。
【００４１】
（１）上述した実施形態のように、見開きしたときの隣接するカレンダー片が対となって１か月間のスケジュール管理ができるように設けられるものとして説明したが、本考案のスケジュール帳はこれに限らず、見開きしたときの片方の頁（例えば、使用者が使用する状態で左側の頁。本明細書及び実用新案登録請求の範囲において左又は右は使用者が使用する状態で見たときの左右を示す。）を単位として１か月間のスケジュール管理ができるように設けられるものとしてもよい。
【００４２】
（２）本考案のスケジュール帳は、見開きした左側のカレンダー片だけに１か月間を単位としてスケジュール管理ができるようにした頁を設け、右側の頁には、無地もしくは罫線や方眼などが設けられたメモ頁を設けるようにしてもよい。この場合、上述した実施形態において、左側のカレンダー片に対応するシート片を設ければよい。
【００４３】
（３）上述した実施形態において、カレンダー片の１のカレンダー面２１Ａ及び２１Ｂに対応して１枚のシート片２２Ａ及び２２Ｂを設けたが、２枚のシート片を重ねて配置してもよい。この場合には、上記第１の予定と第２の予定の他に、第２枚目のシート片に第３の予定を記入することができる。この場合には、３つの異なる種類の予定を１つスケジュール帳で効率的に管理することができるというメリットがある。
【産業上の利用可能性】
【００４４】
本考案に係るスケジュール帳は、複数の種類の予定を管理しようとする使用者が携帯するスケジュール帳として有用である。
【符号の説明】
【００４５】
１      スケジュール帳
２      表紙
２Ａ    表表紙
２Ｂ    裏表紙
３      カレンダー片とシート片のセット
４      栞
５      背部
２１，２４  カレンダー片
２１Ａ，２４Ａ  左カレンダー面
２１Ｂ，２４Ｂ  右カレンダー面
２２    シート片
２２Ａ  左シート片
２２Ｂ  右シート片
２３    月間カレンダーセクション
２５    週間カレンダーセクション
２６    縦線
２７，３２  横線
２８，３３  記入欄
３７    第１記入欄
３８    第２記入欄
【図１】
0003183387.tif 000003
【図２】
0003183387.tif 000004
【図３】
0003183387.tif 000005
【図４】
0003183387.tif 000006
【図５】
0003183387.tif 000007
【図６】
0003183387.tif 000008